(57)【要約】  オストミーポートに連結するように適応された連結器を含み、かつ折畳み式オストミーバッグ（１０２）を備えた、オストミーポートの近位開口を密閉するための使い捨てキャップ（１００）が開示される。また、（ａ）廃物をポートから排出させる必要があることを決定するステップと、（ｂ）前記ポートをバッグの外側に開くことなく、前記ポートからバッグを展開させるステップと、（ｃ）内側に廃物が入った前記バッグを取り外すステップと、（ｄ）前記ポートを密閉するステップとを含む、オストミーポートを使用する方法も開示される。さらに、腸管部分からの廃物の流動を行なうためにストーマを介して前記腸管部分内に挿入可能なチューブと、組織と接触するように構成され、前記チューブを前記ストーマに固定するための保持バルーンとを備え、前記チューブおよび前記保持バルーンが単一構成部品として形成された、使い捨てオストミーポートも開示される。【選択図】図１Ｂ
2013528423.tif 000002
【特許請求の範囲】
【請求項１】
オストミーポートに連結するように適応された連結器を含み、かつ折畳み式オストミーバッグを備えた、オストミーポートの近位開口を密閉するための使い捨てキャップ。
【請求項２】
前記バッグは前記キャップの本体内に収容される、請求項１に記載の使い捨てキャップ。
【請求項３】
前記キャップはその近位側の方が遠位側より幅広である、請求項１又は２に記載の使い捨てキャップ。
【請求項４】
前記キャップは、前記ポートから近位方向に１ｃｍ未満延びるように構成される、請求項１〜３のいずれかに記載の使い捨てキャップ。
【請求項５】
前記キャップは前記ポート内に嵌合するように構成される、請求項１〜４のいずれかに記載の使い捨てキャップ。
【請求項６】
前記キャップは、前記ポートのインターロック機構と連動するように構成される、請求項１〜５のいずれかに記載の使い捨てキャップ。
【請求項７】
前記バッグは、前記ポート内の圧力が閾値を超えたときに展開するように構成される、請求項１〜６のいずれかに記載の使い捨てキャップ。
【請求項８】
前記バッグは、手動展開用の引張り可能な要素を含む、請求項１〜７のいずれかに記載の使い捨てキャップ。
【請求項９】
前記バッグは展開防止要素を含む、請求項１〜８のいずれかに記載の使い捨てキャップ。
【請求項１０】
前記キャップは圧力インジケータを含む、請求項１〜９のいずれかに記載の使い捨てキャップ。
【請求項１１】
前記キャップは検知回路構成を含む、請求項１〜１０のいずれかに記載の使い捨てキャップ。
【請求項１２】
前記キャップはフォイルシールを含む、請求項１〜１１のいずれかに記載の使い捨てキャップ。
【請求項１３】
前記キャップは、別個に開閉可能なキャップカバーを含む、請求項１〜１２のいずれかに記載の使い捨てキャップ。
【請求項１４】
前記キャップは、別個に開けることが可能なキャップカバーを含む、請求項１〜１３のいずれかに記載の使い捨てキャップ。
【請求項１５】
前記キャップはスリーブ形本体を有し、前記キャップカバーは、前記本体の対向する両側部に嵌合するように構成される、請求項１３に記載の使い捨てキャップ。
【請求項１６】
前記バッグには伸縮性がある、請求項１〜１５のいずれかに記載の使い捨てキャップ。
【請求項１７】
前記バッグは前記キャップと一体的に形成される、請求項１〜１６のいずれかに記載の使い捨てキャップ。
【請求項１８】
前記バッグは前記キャップに恒久的に取り付けられる、請求項１〜１７のいずれかに記載の使い捨てキャップ。
【請求項１９】
前記キャップは、前記バッグが充満した後、それを密閉するための封止体を含む、請求項１〜１８のいずれかに記載の使い捨てキャップ。
【請求項２０】
前記キャップは、展開後の前記バッグを患者の身体に直接取り付けるための粘着性取付け要素を含む、請求項１〜１９のいずれかに記載の使い捨てキャップ。
【請求項２１】
前記バッグは折畳み時の容積が１０ｃｃ未満であり、満杯時には少なくとも３００ｃｃになる、請求項１〜２０のいずれかに記載の使い捨てキャップ。
【請求項２２】
（ａ）廃物をポートから排出させる必要があることを決定するステップと、
（ｂ）前記ポートをバッグの外側に開くことなく、前記ポートからバッグを展開させるステップと、
（ｃ）内側に廃物が入った前記バッグを取り外すステップと、
（ｄ）前記ポートを密閉するステップと、
を含む、オストミーポートを使用する方法。
【請求項２３】
バッグを展開させるステップは、前記ポートのキャップのカバーを開けることを含む、請求項２２に記載の方法。
【請求項２４】
前記バッグを取り外すステップは、前記バッグを密閉することを含む、請求項２２に記載の方法。
【請求項２５】
前記バッグを密閉することは、前記キャップのカバーにより密閉することを含む、請求項２４に記載の方法。
【請求項２６】
前記バッグを密閉することは、前記バッグの一部分を狭めることによって密閉することを含む、請求項２４に記載の方法。
【請求項２７】
前記ポートを密閉するステップは、折り畳まれたバッグおよびキャップの一方または両方により密閉することを含む、請求項２４に記載の方法。
【請求項２８】
前記ポートを密閉するステップは、バッグ無しで密閉することを含む、請求項２４に記載の方法。
【請求項２９】
腸管部分からの廃物の流動を行なうためにストーマを介して前記腸管部分内に挿入可能なチューブと、
組織と接触するように構成され、前記チューブを前記ストーマに固定するための保持バルーンと、
を備え、
前記チューブおよび前記保持バルーンが単一構成部品として形成された、使い捨てオストミーポート。
【請求項３０】
前記単一構成部品の一部として形成されたストーマカバーを含む、請求項２９に記載の使い捨てオストミーポート。
【請求項３１】
廃物チューブと、膨張流体によりバルーンを膨張させるために前記バルーンに遠位を接続されかつ膨張弁を含む管腔とを備えた使い捨てオストミーポート。
【請求項３２】
前記チューブは、密閉された近位端を含む、請求項２９〜３１のいずれかに記載の使い捨てオストミーポート。
【請求項３３】
ガス濾過機構を含む、請求項２９〜３２のいずれかに記載の使い捨てオストミーポート。
【請求項３４】
前記チューブは、その近位端に取り付けられたオストミーバッグを含む、請求項２９〜３３のいずれかに記載の使い捨てオストミーポート。
【請求項３５】
前記チューブは、オストミーバッグを取り付けるように構成された近位開口を有する、請求項２９〜３３のいずれかに記載の使い捨てオストミーポート。
【請求項３６】
オストミーポート開口に取り付けるように構成され、かつ前記ポート内の圧力に応答して膨張する少なくとも１つの膨張性要素を備えた、検知キャップ。
【請求項３７】
体内に挿入するように適応され、かつ脱離不能な廃物バッグを含む、オストミーポート。
【請求項３８】
密閉用の封止要素と連結されたオストミーバッグ。
【請求項３９】
前記バッグはオストミーポートに装着するためのリムを有し、前記封止要素は前記リムに嵌合するキャップを含む、請求項３８に記載のオストミーバッグ。
【請求項４０】
前記キャップは前記リムの両側に嵌合するように構成される、請求項３９に記載のオストミーバッグ。
【請求項４１】
前記封止要素は結束具を含む、請求項３８に記載のオストミーバッグ。
【発明の詳細な説明】
【技術分野】
【０００１】
関連出願
本願は、米国特許法第１１９条（ｅ）項に基づき、２０１０年５月２日に出願した米国特許仮出願第６１／３３０３５９号、２０１１年１月１０日に出願した米国特許仮出願第６１／４３１０８４号、及び２０１０年７月１４に出願したＰＣＴ特許出願ＰＣＴ／ＩＬ２０１０／０００５６５（参照として本明細書中にそれらの全体が援用される）の優先権の利益を主張する。
【０００２】
本願はまた、特に出願人Ｓｔｉｍａｔｉｘによってこの出願と同日に同じ受理官庁に提出され、かつ代理人管理番号５１１９４，５１１９６及び５１１９７を有する三つのＰＣＴ出願（参照として本明細書中にそれらの全体が援用される）に関する。
【背景技術】
【０００３】
本発明は、その一部の実施形態では、オストミーポートに関し、さらに詳しくは、オストミーポートおよび／または他の部品、例えばオストミーバッグまたはポート全体と共に使用するための使い捨てオストミーキャップに関するが、それに限定されない。
【０００４】
ストーマ手術の後、ストーマを介する廃物の排出を制御するために、ストーマを介してオストミーポートを挿入することができる。ポートの近位開口に、廃物が排出されるオストミーバッグを取り付けることができる。バッグは、バッグに貯留する廃物の量に応じて１日に数回交換する必要がある。
【０００５】
ポートに常時バッグを取り付けておく代わりに、近位開口をキャップによって密閉するように構成されたポートもある。これらのポートでは、キャップが取り外されるまで、廃物は近位開口から流出しない。むしろ、廃物は使用者によって放出されるまで、ポート内部に貯留する。一般的に、オストミーポートの使用者は最初にオストミーバッグまたは何らかの他の廃物収集要素をポートに取り付け、次いで初めてキャップを取り外して、廃物をバッグ内に排出させる。
【０００６】
米国特許第６０３３３９０号において、ｖｏｎ  Ｄｙｃｋは、「自制オストミーポート装置は、使用者の身体におけるストーマの開口と整列可能なアパーチャを画定する面板を有し、アパーチャに隣接する封止体は、面板のアパーチャの被覆および暴露を可能にするように適応される。カテーテルは面板の片側から近位に延び、ポート装置の使用中にカテーテルの一端はオストミー部位内に配置される。カテーテルは連続的な外部および内部側壁を有し、内部側壁は主要管腔を画定し、外来性の外部から加えられる物質または追加の手術を使用することなく、ストーマ内のカテーテルの存在が脱出の発生率を低減させる障壁をもたらすのに充分な距離まで、ストーマを介して非外科的に挿入できる大きさおよび形状に形成される。着脱可能なカートリッジは、装置のカテーテルの主要管腔内にぴったりかつ摺動自在に嵌合するので、オストミーバッグを使用することなく、カートリッジが所定の位置に着いているときに、身体廃物がストーマから偶発的に漏出することを防止し、かつカートリッジが主要管腔内に押し込まれるときに、カテーテルの内部側壁を掃除する。身体廃物の漏出を防止するために逆流防止弁が作動し、流体を通過させる場合は作動を停止する。保持構造がカテーテルに接続され、かつ非外科的にストーマ内にぴったり嵌合することができ、外科手術または固定物質無しにポート装置をストーマ内の通常使用位置に自留させる」と記載している。
【０００７】
追加の背景技術は、米国特許第４１２１５８９号、第４３３８９３７号、第４６３４４２１号、第４７２１５０８号、第４３８１７６５号、及び第４６６２８９０号を含む。
【発明の概要】
【０００８】
本発明の例示的実施形態では、オストミーポートに連結するように適応された連結器を含み、かつ折畳み式オストミーバッグを備えた、オストミーポートの近位開口を密閉するための使い捨てキャップを提供する。
【０００９】
本発明の例示的実施形態では、バッグはキャップの本体内に収容される。任意選択的に、または代替的に、キャップはその近位側の方が遠位側より幅広である。
【００１０】
本発明の例示的実施形態では、キャップは、ポートから近位方向に１ｃｍ未満延びるように構成される。
【００１１】
本発明の例示的実施形態では、キャップはポート内に嵌合するように構成される。
【００１２】
本発明の例示的実施形態では、キャップは、ポートのインターロック機構と連動するように構成される。
【００１３】
本発明の例示的実施形態では、バッグは、ポート内の圧力が閾値を超えたときに展開するように構成される。
【００１４】
本発明の例示的実施形態では、バッグは、手動展開用の引張り可能な要素を含む。
【００１５】
本発明の例示的実施形態では、バッグは展開防止要素を含む。
【００１６】
本発明の例示的実施形態では、キャップは圧力インジケータを含む。
【００１７】
本発明の例示的実施形態では、キャップは検知回路構成を含む。
【００１８】
本発明の例示的実施形態では、キャップはフォイルシールを含む。
【００１９】
本発明の例示的実施形態では、キャップは、別個に開閉可能なキャップカバーを含む。
【００２０】
本発明の例示的実施形態では、キャップはスリーブ形本体を有し、キャップカバーは、本体の対向する両側部に嵌合するように構成される。
【００２１】
本発明の例示的実施形態では、キャップは、別個に開けることが可能なキャップカバーを含む。
【００２２】
本発明の例示的実施形態では、バッグには伸縮性がある。
【００２３】
本発明の例示的実施形態では、バッグはキャップと一体的に形成される。
【００２４】
本発明の例示的実施形態では、バッグはキャップに恒久的に取り付けられる。
【００２５】
本発明の例示的実施形態では、キャップは、バッグが充満した後、それを密閉するための封止体を含む。
【００２６】
本発明の例示的実施形態では、キャップは、展開後のバッグを患者の身体に直接取り付けるための粘着性取付け要素を含む。
【００２７】
本発明の例示的実施形態では、バッグは折畳み時の容積が１０ｃｃ未満であり、満杯時には少なくとも３００ｃｃになる。
【００２８】
本発明の例示的実施形態では、
（ａ）廃物をポートから排出させる必要があることを決定するステップと、
（ｂ）ポートをバッグの外側に開くことなく、ポートからバッグを展開させるステップと、
（ｃ）内側に廃物が入ったバッグを取り外すステップと、
（ｄ）ポートを密閉するステップと、
を含む、オストミーポートを使用する方法を提供する。
【００２９】
本発明の例示的実施形態では、バッグを展開させるステップは、ポートのキャップのカバーを開けることを含む。
【００３０】
本発明の例示的実施形態では、バッグを取り外すステップは、バッグを密閉することを含む。任意選択的に、バッグを密閉することは、キャップのカバーにより密閉することを含む。任意選択的に、または代替的に、バッグを密閉することは、バッグの一部分を狭めることによって密閉することを含む。任意選択的に、または代替的に、ポートを密閉するステップは、折り畳まれたバッグおよびキャップの一方または両方により密閉することを含む。代替的に、ポートを密閉するステップは、バッグ無しで密閉することを含む。
【００３１】
本発明の例示的実施形態では、
腸管部分からの廃物の流動を行なうためにストーマを介して腸管部分内に挿入可能なチューブと、
組織と接触するように構成され、チューブをストーマに固定するための保持バルーンと、
を備え、
チューブおよび保持バルーンが単一構成部品として形成された、使い捨てオストミーポートを提供する。任意選択的に、ポートは、単一構成部品の一部として形成されたストーマカバーを含む。
【００３２】
本発明の例示的実施形態では、廃物チューブと、膨張流体によりバルーンを膨張させるためにバルーンに遠位を接続されかつ膨張弁を含む管腔とを備えた使い捨てオストミーポートを提供する。
【００３３】
本発明の例示的実施形態では、チューブは、密閉された近位端を含む。
【００３４】
本発明の例示的実施形態では、ポートはガス濾過機構を含む。
【００３５】
本発明の例示的実施形態では、チューブは、その近位端に取り付けられたオストミーバッグを含む。
【００３６】
本発明の例示的実施形態では、チューブは、オストミーバッグを取り付けるように構成された近位開口を有する。
【００３７】
本発明の例示的実施形態では、オストミーポート開口に取り付けるように構成され、かつポート内の圧力に応答して膨張する少なくとも１つの膨張性要素を備えた、検知キャップを提供する。
【００３８】
本発明の例示的実施形態では、体内に挿入するように適応され、かつ脱離不能な廃物バッグを含む、オストミーポートを提供する。
【００３９】
本発明の例示的実施形態では、密閉用の封止要素と連結されたオストミーバッグを提供する。任意選択的に、バッグはオストミーポートに装着するためのリムを有し、封止要素はリムに嵌合するキャップを含む。任意選択的に、キャップはリムの両側に嵌合するように構成される。任意選択的に、または代替的に、封止要素は結束具を含む。
【００４０】
別途定義されない限り、本明細書で使用されるすべての技術的用語および／または科学的用語は、本発明が属する技術分野の当業者によって一般に理解されるのと同じ意味を有する。本明細書に記載される方法および材料と類似または同等である方法および材料を本発明の実施または試験において使用することができるが、例示的な方法および／または材料が下記に記載される。矛盾する場合には、定義を含めて、本特許明細書が優先する。加えて、材料、方法および実施例は例示にすぎず、限定であることは意図されない。
【００４１】
本発明の実施形態の方法および／またはシステムを実行することは、選択されたタスクを、手動操作で、自動的にまたはそれらを組み合わせて実行または完了することを含んでいる。さらに、本発明の装置、方法および／またはシステムの実施形態の実際の機器や装置によって、いくつもの選択されたステップを、ハードウェア、ソフトウェア、またはファームウェア、あるいはオペレーティングシステムを用いるそれらの組合せによって実行できる。
【００４２】
例えば、本発明の実施形態による選択されたタスクを実行するためのハードウェアは、チップまたは回路として実施されることができる。ソフトウェアとして、本発明の実施形態により選択されたタスクは、コンピュータが適切なオペレーティングシステムを使って実行する複数のソフトウェアの命令のようなソフトウェアとして実施されることができる。本発明の例示的な実施形態において、本明細書に記載される方法および／またはシステムの例示的な実施形態による１つ以上のタスクは、データプロセッサ、例えば複数の命令を実行する計算プラットフォームで実行される。任意選択的に、データプロセッサは、命令および／またはデータを格納するための揮発性メモリ、および／または、命令および／またはデータを格納するための不揮発性記憶装置（例えば、磁気ハードディスク、および／または取り外し可能な記録媒体）を含む。任意選択的に、ネットワーク接続もさらに提供される。ディスプレイおよび／またはユーザ入力装置（例えば、キーボードまたはマウス）も、任意選択的にさらに提供される。
【図面の簡単な説明】
【００４３】
本明細書では本発明のいくつかの実施形態を単に例示し添付の図面を参照して説明する。特に詳細に図面を参照して、示されている詳細が例示として本発明の実施形態を例示考察することだけを目的としていることを強調するものである。この点について、図面について行う説明によって、本発明の実施形態を実施する方法は当業者には明らかになるであろう。
【００４４】
【図１Ａ−１Ｂ】図１Ａは本発明の実施形態に係る例示的使い捨てキャップの概略的斜視図である。図１Ｂは本発明の実施形態に係るキャップの概略的分解組立斜視図である。
【００４５】
【図２】図２は本発明の実施形態に係るキャップの概略的断面図である。
【００４６】
【図３Ａ−３Ｂ】図３Ａは本発明の実施形態に係る、ストーマカバーを有するオストミーポートに取り付けられたキャップの廃物抑制モード時の概略図である。図３Ｂは本発明の実施形態に係る、ストーマカバーを有するオストミーポートに取り付けられたキャップの廃物捕集モード時の概略図である。
【００４７】
【図４】図４は本発明の一部の実施形態に係る、圧力検知カバーを含む例示的使い捨てキャップの概略図である。
【００４８】
【図５】図５は本発明の一部の実施形態に係る、近位開口とカバーとの間のカプセル内に形成されたバッグキャビティ内に収容されたオストミーバッグを含む例示的使い捨てキャップの概略図である。
【００４９】
【図６】図６は本発明の一部の実施形態に係る、取外し可能なフィルム蓋によって被覆されたカバーを含む例示的使い捨てキャップの概略図である。
【００５０】
【図７Ａ−７Ｂ】図７Ａおよび図７Ｂは本発明の一部の実施形態に係る、カプセルから展開された再使用可能なオストミーバッグを含む例示的使い捨てキャップの概略図である。
【００５１】
【図８Ａ−８Ｂ】図８Ａおよび図８Ｂは本発明の一部の実施形態に係る、オストミーポートからの廃物の捕集後に使い捨てキャップ内に例示的オストミーバッグを閉止する方法を示す概略図である。
【００５２】
【図９Ａ−９Ｃ】図９Ａ〜図９Ｃは本発明の一部の実施形態に係る、展開支持されたオストミーバッグを持つ例示的使い捨てキャップの概略図である。
【００５３】
【図１０】図１０は本発明の一部の実施形態に係る、１回使用に適した単一構成部品として全て一体的に形成された弾性ストーマカバー、膨張可能なバルーン、および弾性チューブを含む例示的オストミーポートの概略図である。
【００５４】
【図１１】図１１は本発明の一部の実施形態に係る、廃物を捕集するための内蔵オストミーバッグを持つ１回使用のための例示的オストミーポートの概略図である。
【００５５】
【図１２】図１２は本発明の一部の実施形態に係る、廃物を取り出すために取外し可能なキャップを含むオストミーポートの概略図である。
【００５６】
【図１３Ａ−１３Ｃ】図１３Ａ〜図１３Ｃは本発明の一部の実施形態に係る、弾性捕集バッグを取り付けるための取付け機構を含む例示的オストミーポートの概略図である。
【００５７】
【図１４Ａ−１４Ｄ】図１４Ａ〜図１４Ｄは本発明の一部の実施形態に係る、家庭用の捕集バッグ（例えばサンドイッチ用バッグ、小さいゴミ袋等）を弾性チューブの近位端に取り付けるための取付け機構を含むオストミーポートの概略図である。
【００５８】
【図１５】図１５は本発明の一部の実施形態に係る、使い捨てキャップをオストミーポートと共に使用するための方法のフローチャートである。
【００５９】
【図１６】図１６は本発明の一部の実施形態に係る、カプセル内に入ったオストミーバッグを持つ使い捨てキャップをオストミーポート内に取り付けるための取付け機構の概略図である。
【００６０】
【図１７】図１７は本発明の一部の実施形態に係る、オストミーポート用の使い捨てキャップからカバーを取り外すための迅速解放機構の概略図である。
【００６１】
【図１８Ａ−１８Ｆ】図１８Ａ〜図１８Ｆは本発明の一部の実施形態に係る、オストミーバッグを使い捨てキャップ内に巻き上げ、キャップにカバーを取り付けるための例示的方法の略図である。
【図１８Ｇ−１８Ｈ】図１８Ｇ〜図１８Ｈは本発明の一部の実施形態に係る、オストミーバッグを使い捨てキャップ内に巻き上げ、キャップにカバーを取り付けるための例示的方法の略図である。
【発明を実施するための形態】
【００６２】
本発明は、その一部の実施形態では、オストミーポートに関し、さらに詳しくは、オストミーポートおよび／または他の部品、例えばオストミーバッグまたはポート全体と共に使用するための使い捨てオストミーキャップに関するが、それに限定されない。
【００６３】
以下におけるオストミーポートまたはストーマカバーの言及は、この開示が優先権の利益を主張すると共に上記関連出願の節で言及した出願のいずれかに記載された実施形態のいずれかを含むことがある。
【００６４】
本発明の一部の実施形態の態様は、オストミーポートの近位開口を封止するための使い捨てキャップに関する。キャップは、オストミーポートを介して近位開口から流出する廃物を捕集するために展開されるオストミーバッグを含む。
【００６５】
以下で使用する場合、遠位とは、近位開口から離れて腹腔の内部に向かう方向を指す一方、近位とは腹腔から離れて近位開口に向かう方向を指す。
【００６６】
一部の例示的実施形態では、オストミーバッグは、２００〜１０００ｍｌの範囲、例えば４００ｍｌ、５００ｍｌ、６００ｍｌ、７００ｍｌの廃物の捕集容量を含む。任意選択的に、灌注を目的とする場合、オストミーバッグは１０００〜１５００ｍｌの範囲、例えば１１００ｍｌ、１２５０ｍｌ、１３５０ｍｌ、１４５０ｍｌの容量を含む。加えて、オストミーバッグのフィルム厚さは５０〜２００μｍの範囲、例えば６０μｍ、８０μｍ、１００μｍ、１２０μｍである。
【００６７】
一部の例示的実施形態では、キャップは、バッグを収容するためのカプセルとしての役割を果たす。任意選択的に、キャップはオストミーポートを連結するための連結部を含むことができる（以下では「連結器」ということもある）。カプセル材は、プラスチック、硬化ゴム、および／またはバッグを収容しかつ近位開口内に挿入するのに適した任意の他の廃物耐性材を挙げることができる。バッグを収容するカプセルの内腔は、例えば３０００〜１５０００ｍｍ３の範囲、例えば５０００ｍｍ３、６０００ｍｍ３、７０００ｍｍ３の容積を有することができる。任意選択的に、バッグの開口の縁は溶接によってカプセルに接着される。代替的に、バッグは、結合によって、または当業界で公知でありかつバッグ材をカプセル材に接着するのに適した任意の他の方法によって、カプセルに接着される。任意選択的に、カプセルは、近位方向に増大するカプセルの断面積のおかげでバッグを折り畳みまたは巻き上げる空間の容積を大きくするために、円錐形に形成される。加えて、または代替的に、円錐形のカプセルは、近位開口内へのキャップの容易な挿入を可能にする。これは近位方向のキャップの膨隆を低減させ、キャップを使用者または他の人々にあまり目立たなくし、かつ／またはオストミーポートの近位開口内への挿入を容易にする。加えて、または代替的に、円錐形のカプセルは、カプセル内部に巻き上げられたときに、バッグがカプセルの遠位開口から遠位方向に膨出する可能性を低減する。任意選択的に、オストミーポートの近位端は、キャップを収容するために円錐形に形成される。
【００６８】
一部の例示的実施形態では、キャップはプラスチック製キャップカバーを含む。代替的に、キャップは近位端または遠位端のいずれかにカバーを有さない。廃物をオストミーバッグ内に排出したい使用者は、カバーを取り外してバッグを取り出す。代替的に、キャップカバーはエラストマー材料を含む。代替的に、キャップカバーは可撓性フィルムを含む。代替的に、カバーは、キャップを剥ぎ取るかまたは剥離することによって取り外すことのできる蓋である。代替的に、キャップカバーは、折り畳まれかつ／または巻き上げられたバッグを収容するカプセルの近位開口を被覆するのに適した任意の他の材料を含む。代替的に、バッグは摩擦力によってカプセルの内腔に保持され、使用者が手動で引き出すことができる。代替的に、バッグは、使用者が手動で引き出すことのできる機械的固定要素（例えばＲクリップ）によって、カプセルの内腔に保持される。
【００６９】
一部の例示的実施形態では、キャップは、ツイストロック機構を用いてオストミーポートに取り付けられる。代替的に、取付けはスナップロック機構を含む。代替的に、取付けは、キャップをオストミーポートの近位開口内に螺合させることを含む。代替的に、キャップはオストミーポートと、またはポートの挿入体と一体にすることができる。代替的に、キャップを近位開口に固定するのに適した、当業界で公知の他の方法を使用することができる。
【００７０】
一部の例示的実施形態では、キャップは、腸内圧力の増加を検知することによって、使用者に排出の必要性を知らせるための検知機構を含む。任意選択的に、キャップは、廃物または腸内ガスによって加えられる軸方向圧力に曝されたときに、近位方向に外向きに突出（膨出）するように適応された可撓性部分を備えたカバーを含む。代替的に、バッグはさらにカバーとして働く。５０ｍｍＨｇの軸方向圧力に対する突出距離は、２〜３０ｍｍの範囲、例えば３ｍｍ、５ｍｍ、７ｍｍ、１０ｍｍとすることができる。任意選択的に、可撓性部分は凹形とすることができる。一部の実施形態では、検知カバーの材料はエラストマー、例えばシリコーンゴムとすることができ、５〜１０ショアＡの範囲のデュロメーター、例えば４０ショアＡ、６０ショアＡ、７０ショアＡ、７５ショアＡとすることができる。厚さは０．２〜２ｍｍの範囲、例えば０．７５ｍｍ、１ｍｍ、１．２５ｍｍの間とすることができる。
【００７１】
一部の例示的実施形態では、検知機構は、腸内圧力の増加を検知するためにポートで実行される論理を含む。代替的に、論理はキャップで実行される。任意選択的に、予め定められた値に達すると、使用者に圧力の増大を知らせるために、視覚的および／または聴覚的および／または感知可能な警報が生成される。標識は、使用者が見ることのできる機械的に作動する突出要素、または例えば光、振動、音、および／もしくは無線信号（例えばブルートゥース）のような電気または電子機械的標識とすることができる。
【００７２】
一部の例示的実施形態では、ポートは、ガスおよび／または廃物を放出するための安全機構を含む。軸方向圧力が予め定められた値に達すると、安全機構はカバーまたはキャップの一部を噴出させることができる。任意選択的に、安全機構は感圧機構を含む。加えて、または代替的に、安全機構は、カバーを解放すべきときを決定するための論理回路および／または機械的論理を含む。任意選択的に、安全機構は電子機械的構成要素を含む。任意選択的に、バッグは、５０ｍｍＨｇ〜１００ｍｍＨｇの範囲、例えば６５ｍｍＨｇ、７５ｍｍＨｇ、９０ｍｍＨｇ、９５ｍｍＨｇの軸方向圧力によってカプセルから押し出される。ひとたび廃物が排出されるか、または結腸圧力が予め定められた値未満に減少すると、カバーはキャップ上に戻ることができる。任意選択的に、一時的な結腸圧力パルスによる誤認警報を除外するために、オストミーポート内の結腸圧力が５秒超、１５秒超、３０秒超、６０秒超、９０秒超の期間にわたって例えば６０ｍｍＨｇ以上になったときに、カバーは解放される。任意選択的に、結腸圧力が８０ｍｍＨｇ以上、１００ｍｍＨｇ以上、１５０ｍｍＨｇ以上、２００ｍｍＨｇ以上になったときに、カバーは解放される。
【００７３】
一部の例示的実施形態では、圧力センサ（図示せず）がオストミーポートの内部に、例えばオストミーポートの内壁に組み付けられ、制御ユニットが使用者の身体の外側でオストミーポートの一部分に、例えばストーマカバーに組み付けられる。制御ユニットは前記圧力センサから圧力信号を受信し、予め定められた条件、例えば以下の条件のいずれかが満たされるとガス放出弁を選択的に開放する論理アルゴリズムをプログラムされる。
ａ．内部圧力が１分超の時間にわたって６０ｍｍＨｇを超える。
ｂ．内部圧力が１０秒超の時間にわたって１００ｍｍＨｇを超える。
ｃ．内部圧力が１５０ｍｍＨｇを超えると、即時放出する。
【００７４】
任意選択的に、オストミーポートは、使用者にガス放出弁の作動を知らせるために、標識機構、例えば視覚的、聴覚的、または振動警報を備える。
【００７５】
加えて、または代替的に、制御ユニットは、ガス放出弁を自動的に作動させることなく、ガスを放出する必要性を使用者に知らせる。任意選択的に、ガス放出弁は、使用者が手動で、または内部圧力が例えば３０ｍｍＨｇ以下に低減したときに前記制御ユニットによって自動的に、閉止することができる。
【００７６】
一部の例示的実施形態では、上述の通り圧力センサおよび制御ユニットは、予め定められた論理に従って、例えば次のように、ガス放出弁の開放および／または使い捨て捕集バッグの展開を制御する。
ａ．内部圧力が１分超の時間にわたって６０ｍｍＨｇを超えると、ガス放出弁を開放する。
ｂ．内部圧力が２分超の時間にわたって６０ｍｍＨｇを超えると、使い捨て捕集バッグを展開する。
ｃ．内部圧力が１０秒超の時間にわたって１００ｍｍＨｇを超えると、ガス放出弁を開放する。
ｄ．内部圧力が３０秒超の時間にわたって１００ｍｍＨｇを超えると、使い捨て捕集バッグを展開する。
ｅ．内部圧力が１５０ｍｍＨｇを超えると、ガス放出弁を即時開放する。
ｆ．内部圧力が１５０ｍｍＨｇを超えると、使い捨て捕集バッグを即時展開する。
【００７７】
任意選択的に、ワイヤレスで使用者に警報を送信し、例えばブルートゥースを介して使用者が携帯または装着している受信機に、高圧状態であることを警告することができる。任意選択的に、使用者は、可能な制御機能の中でも特に、圧力レベルおよび持続時間、起動する警報の種類、ならびに警報の持続時間を設定するために、制御をプログラムすることができる。使用者はさらに、ポート内部の例えばバルーン、ガス放出弁等のような閉塞要素の作動を制御することができる。
【００７８】
一部の例示的実施形態では、キャップは、オストミーポート内部の廃物が過剰になった場合に備えて、排出内容インジケータおよび／または安全放出弁を含む。加えて、または代替的に、キャップは、オストミーポートの内側から腸内ガスを含めてガスを濾過し、かつ大気中に放出するためのガスフィルタを含む。
【００７９】
一部の例示的実施形態では、オストミーバッグは、廃物の押込みによって展開される。任意選択的に、バッグの一部分は、使用者による引出しのために展開された状態に残される。加えて、または代替的に、使用者がバッグを展開させるために引っ張るように、ストラップまたは紐がバッグの近位端または遠位端のどちらかに取り付けられる。
【００８０】
一部の例示的実施形態では、オストミーバッグは、廃棄前にバッグを閉止するためのストランドを含む。任意選択的に、ストランドはバッグの上部に沿ってバッグを結束するように適応される。任意選択的に、バッグは、開口をバッグに封着するためのキャップによって閉止することができる。加えて、または代替的に、キャップはバッグの上部に配置される。任意選択的に、バッグは、締め具、ストリング、結束具、またはバッグを閉止するための当業界で公知の任意の他の手段を用いて閉止される。
【００８１】
一部の例示的実施形態では、オストミーバッグは、バッグ内部の廃物のフラッシングを可能にするために端部が開放されている。廃物をトイレに方向付けるために、開口端にスリーブを接続することができる。フラッシングは、オストミーポートの近位開口からキャップが取り外されている間に実行することができる。加えて、または代替的に、フラッシングは、キャップが近位開口に接続されている間に、オストミーポートの灌注ポートから水を噴射することによって実行することができる。任意選択的に、バッグは、バッグおよび／またはスリーブの開口端を閉止することによって再使用可能である。
【００８２】
一部の例示的実施形態では、オストミーバッグは、オストミーポートを引っ張る満杯または部分的に充満したバッグの重量により内部腹壁および／または腸管に掛かる圧力を軽減するために、使用者の身体に当てて支持される。支持体の使用は、オストミーバッグが廃物を連続的に捕集するために常時展開されるイレオストミーまたはウロストミーに関与する用途に適している。加えて、または代替的に、支持体の使用は、腸管内部の廃物の蓄積が望ましくなく、したがってオストミーバッグが常時展開される用途に適している。加えて、または代替的に、支持体の使用は、腸灌注目的に適している。重量支持を達成するようにバッグを使用者の腹部に接着するために、バッグの例えば頂部にタブを含めることができる。バッグが廃物の蓄積により重くなるにつれて、タブはバッグを保持するための張力を加える。加えて、または代替的に、追加的支持を達成するように使用者の身体部分に接着するために、タブはバッグの底部に含めてもよい。加えて、または代替的に、バッグを使用者の腰に固定するためにベルトを使用することができる。加えて、または代替的に、ストーマカバーは、バッグを支持するために使用者の腹部に接着することができる。
【００８３】
本発明の一部の実施形態の態様は、単一構成部品に１つ以上の機能を含む使い捨てオストミーポートに関する。任意選択的に、オストミーポートは１回使用である。これは、ポートの比較的安価かつ単純な生産を可能にする。オストミーポートは、遠位端を腸管部分に接続するチューブと、チューブをストーマに保持するための保持バルーンとを含み、バルーンおよびチューブは同一材料から一緒に製造される。材料は、例えばシリコーンゴムのような弾性かつ可撓性の材料とすることができ、１０〜８０ショアＡの範囲、例えば２０ショアＡ、３０ショアＡ、４０ショアＡのデュロメーターとすることができる。任意選択的に、ポートは、組立て中にバルーンの自由端をチューブの外面に取り付けることによって製造される。一部の実施形態では、バルーンは、コロストミーの場合には２５〜１００ｍｌ、イレオストミーの場合には１５〜５０ｍｌの範囲の膨張容積を有することができる。バルーンの壁厚は０．２ｍｍ〜１．５ｍｍの範囲、例えば０．３ｍｍ、０．５ｍｍ、０．８ｍｍとすることができる。チューブは、コロストミーの場合には１５〜３５ｍｍ、イレオストミーおよびウロストミーの場合には１０〜２５ｍｍの範囲の内径を有することができる。チューブの壁厚は０．３ｍｍ〜２ｍｍの範囲、例えば０．８ｍｍ、１ｍｍ、１．２ｍｍ、１．５ｍｍ、１．８ｍｍとすることができる。チューブの長さは腹壁の厚さによって異なり、使用者の痩せ度に応じて１ｃｍ〜１５ｃｍの範囲とすることができる。
【００８４】
一部の例示的実施形態では、ポートはストーマカバーを含む。任意選択的に、ポートは、膨張流体をバルーン内に導入するために遠位をバルーンに接続された膨張管腔を含む。膨張管腔は０．５〜３ｍｍの範囲、例えば１．５ｍｍ、２ｍｍ、２．５ｍｍの内径を有することができる。加えて、膨張管腔は近位を膨張弁に接続され、そこを介して膨張流体は管腔内に導入される。任意選択的に、使い捨てオストミーポートはガス濾過機構を含む。
【００８５】
一部の例示的実施形態では、チューブは、チューブ内を流動する廃物がチューブの内部に保持されるように、密閉近位端を含む。代替的に、近位端に取り付けられたオストミーバッグは、ポートと共に単一構成部品として形成される。任意選択的に、バッグはチューブの近位開口の内側に巻き上げられ、チューブ内を流動する廃物を捕集するために展開される。オストミーバッグは、２００〜１０００ｍｌの範囲、例えば４００ｍｌ、５００ｍｌ、６００ｍｌ、７００ｍｌの廃物用の捕集容量を含むことができる。加えて、バッグの壁厚は０．１ｍｍ〜１ｍｍの範囲、例えば０．３ｍｍ、０．５ｍｍ、０．７ｍｍとすることができる。任意選択的に、オストミーバッグは、その浸透性を低減するために低浸透性材料、例えばパリレンで被覆される。加えて、または代替的に、近位開口にカバーが取り付けられる。カバーは剛性材料、半剛性材料、または可撓性材料とすることができ、０．５ｍｍ〜３ｍｍの範囲、例えば１ｍｍ、２ｍｍ、２．５ｍｍの厚さを含むことができる。任意選択的に、カバーはプラスチック、または例えば少なくとも７０ショアＡの高デュロメーターのエラストマーとすることができる。任意選択的に、カバーは前述の通り、使い捨てキャップである。
【００８６】
一部の例示的実施形態では、取付け要素は、チューブと共に単一構成部品として形成される。代替的に、取付け要素は、チューブとは別個の構成要素として形成される。取付け要素はカバーを近位開口に取り付けるのに役立つ。加えて、または代替的に、取付け要素はオストミーバッグを近位開口に取り付けるのに役立つ。取付け要素は使い捨てにすることができる。代替的に、取付け要素は再使用可能である。取付け機構は剛性材料または半剛性プラスチック、または例えば少なくとも７０ショアＡの高デュロメーターのエラストマーとすることができる。弾性捕集バッグは、２００〜１０００ｍｌの範囲、例えば４００ｍｌ、５００ｍｌ、６００ｍｌ、７００ｍｌの廃物用の捕集容量を含むことができる。
【００８７】
一部の例示的実施形態では、弾性廃物バッグは近位開口に取付け可能である。弾性廃物バッグは、例えばシリコーンゴムまたはラテックスのような伸縮性エラストマーを含むことができる。使い捨てオストミーポートはリムを含み、その上にバッグの弾性開口が伸張され、バッグをポートに密嵌させる。任意選択的に、ポートは、弾性開口をリム上に固定するためにロック機構を含む。ロック機構は、剛性材料または半剛性プラスチック、または例えば少なくとも７０ショアＡの高デュロメーターのエラストマーとすることができる。弾性捕集バッグは、２００〜１０００ｍｌの範囲、例えば４００ｍｌ、５００ｍｌ、６００ｍｌ、７００ｍｌの廃物用の捕集容量を含むことができる。
【００８８】
一部の例示的実施形態では、ポートは、廃物バッグ（オストミーバッグ）として使用される家庭用バッグ、例えばサンドイッチ用バッグ、小さいゴミ袋等を装着するように適応される。ポートは近位開口の周りにリムを含み、その上にバッグの開口の縁が嵌合される。固定要素およびラッチ要素は、バッグを固定するために、リム上およびバッグの開口の縁上に連結される。固定要素およびラッチ要素は、剛性材料または半剛性プラスチック、または例えば少なくとも７０ショアＡの高デュロメーターのエラストマーとすることができる。固定要素およびラッチ要素は、互いに係合されたときに、例えば最高１ｋｇまでの引張り力により、厚さが５０μｍのバッグを保持するように構成することができる。
【００８９】
次に、図１Ａおよび図１Ｂを参照すると、本発明の実施形態に係る例示的使い捨てキャップ１００の斜視図および該キャップの分解組立斜視図がそれぞれ概略的に示されている。また図２も参照すると、本発明の実施形態に係るキャップ１００の断面図が概略的に示されている。使い捨てキャップ１００はオストミーバッグ１０２と、バッグを収容するための内部空洞１０６を有するカプセル１０４とを含む。
【００９０】
カプセル１０４は近位開口１０８を含み、キャップ１００の組立て中に、該開口を介してバッグ１０２が任意選択的に空洞１０６内に挿入され、かつ該開口を介してバッグがオストミーポートから廃物を捕集するために展開される。任意選択的に、バッグ１０２は空洞１０６の内側に折り畳まれる。
【００９１】
カプセル１０４はさらに、オストミーポートの近位開口に嵌挿または装着される遠位開口１１０を含み、該遠位開口を介して廃物がポートからバッグ１０２内に流動する。任意選択的に、カプセル１０４は、近位開口１０８が遠位開口１１０より大きい断面積を有する円錐形に形成される。代替的に、カプセル１０４は円筒形に形成される。リム１１２は近位開口１０８の周囲に界接し、縁１１４をオストミーバッグ１０２に通じる開口に接着するための取付け面である。代替的に、縁１１４は空洞１０６の内壁１１６に接着される。
【００９２】
キャップ１００は、空洞１０６の内側にバッグ１０２を入れて近位開口１０８を封止するためのカバー１１８を含む。近位開口１０８の封止は実質的に、キャップ１００を介する廃物の漏出を防止する。任意選択的に、カバー１１８は、使用者にカバーをカプセル１０４から引き剥がさせるためのタブ１２０を含む。任意選択的に、カバー１１８は剥離後に再配置不能であり、カプセル１０４に装着できない。代替的に、カバー１１８は再配置可能である。カバー１１８は、スナップロック固定機構、ツイストロック固定機構、または近位開口１０８からの廃物の漏出を防止するのに適した当業界で公知の任意の他の種類の機構を用いてカプセル１０４に装着することができる。
【００９３】
次に図３Ａおよび図３Ｂを参照すると、本発明の一部の実施形態に係る、廃物抑制モード時および廃物捕集モード時の、ストーマカバー１５２を有するオストミーポート１５０に取り付けられたキャップ１００がそれぞれ概略的に示されている。オストミーポート１５０はストーマ１５３に挿入されている。
【００９４】
廃物抑制モードでは、キャップ１００はオストミーポート１５０の近位開口１５４内に挿入され、開口を介してオストミーポートから廃物が漏出するおそれがないように封止する。任意選択的に、キャップ１００は、スナップロック機構によってストーマカバー１５２に取り付けられる。代替的に、他の固定機構、例えばツイストロック機構、ねじ部品、または近位開口１５４からの漏出を防止しながらキャップ１００をオストミーポート１５０に固定するのに適した当業界で公知の他の機構を使用することができる。
【００９５】
廃物捕集モードでは、バッグ１０２はキャップ１００の近位開口１０８を介して展開される。廃物１５６は、オストミーポート１５０からキャップ１００の遠位開口１１０を介して空洞１０６内に流入し、かつそこから近位開口１０８を介してバッグ１０２内に流入する。任意選択的に、使用者はカバー１１８を取り外し、バッグを展開するために、近位開口１０８を介してバッグ１０２を引き出す。代替的に、バッグ１０２は、廃物１５６によってバッグに加えられる軸方向圧力によって押し出される。加えて、または代替的に、カバー１１８は、カバーを押圧するバッグ１０２の圧力によって自動的に噴出され、かつ／またはキャップ１００内の圧力検知機構によって解放される。
【００９６】
次に図４を参照すると、本発明の一部の実施形態に係る、圧力検知カバー２１８を含む例示的使い捨てキャップ２００が概略的に示されている。キャップ２００は、カプセル１０４の空洞１０６の内部にバッグ１０２を含む。
【００９７】
圧力検知カバー２１８は伸縮性のある可撓性材料から作られ、カプセル１０４の近位開口１０８上に密封装着される。圧力検知カバー２１８は、遠位開口１１０を介して近位開口１０８の方向に廃物および／または腸内ガスによる軸方向圧力２０２が加えられたときに、近位方向に突出するように適応される。任意選択的に、バッグ１０２が軸方向圧力２０２によって近位方向に押し込まれ、カバー２１８を押圧する。任意選択的に、突出するカバー２１８は、使用者が腸内ガスを排出かつ／または放出する必要性を示す。任意選択的に、使用者は、バッグ１０２を解放するためのタブ２２０を引っ張ることによって、カバー２１８を取り外す。加えて、または代替的に、使用者は、オストミーポートに存在するガス放出機構を用いて、腸内ガスを放出させる。
【００９８】
次に図５を参照すると、本発明の一部の実施形態に係る、近位開口１０８とカバー３１８との間にカプセル１０４の形成されるバッグ空洞３０６に収容されたオストミーバッグ３０２を含む、例示的使い捨てキャップ３００が概略的に示されている。バッグ空洞３０６が空洞１０６の外に位置し、オストミーバッグ３０２をその中に折り畳んで収容する寸法に形成される。任意選択的に、使用者は、バッグ１０２を解放するためのタブ３２０を引っ張ることによってカバー３１８を取り外す。
【００９９】
次に図６を参照すると、本発明の一部の実施形態に係る、再使用不能なフィルム蓋４１８で被覆されたカプセル１０４を含む例示的使い捨てキャップ４００が概略的に示されている。フィルム蓋４１８はプラスチックまたは可撓性金属を含むことができる。加えて、または代替的に、フィルム蓋４１８は、カプセル１０４の表面に溶接するのに適したプラスチック材（例えばポリエチレン）を被覆した可撓性金属を含む。任意選択的に、使用者は、タブ４２０を引っ張ることによってフィルム蓋４１８を取り外す。
【０１００】
次に図７Ａおよび図７Ｂを参照すると、本発明の一部の実施形態に係る、カプセル１０４から展開された再使用可能なオストミーバッグ５０２を含む例示的使い捨てキャップ５００が概略的に示されている。バッグ５０２は、スリーブ５０３に接続される開口５０７をバッグの底部に含む。
【０１０１】
スリーブ５０３は、バッグを再使用するために、バッグ５０２の内側の廃物を洗い流すのに使用される。排出後に、使用者は、廃物を排出するために、スリーブ５０３の端部のスリーブ開口５０９をトイレまたは他の廃物処分手段の端部に接近させることができる。任意選択的に、排出後に、使用者は、廃物の残留物を除去するために、スリーブ５０３を含むバッグ５０２を洗浄することができる。
【０１０２】
図７Ａにおいて、キャップ５００は、廃物を排出するために、オストミーポートから取り外された状態で示される。代替的に、廃物は、キャップ５００がオストミーポートに取り付けられたままで、バッグ５０２から排出することができる。
【０１０３】
図７Ｂにおいて、バッグ５０２は、バッグ５０２内の開口５０７およびスリーブ開口５０９を封止するために、スリーブ５０３が閉止された状態で示される。任意選択的に、スリーブ５０３は、バッグ５０２がカプセル１０４の内部に折り畳まれたときに閉止される。加えて、または代替的に、スリーブ５０３は、廃物を洗い流した後で、再使用するために閉止される。閉止位置で、スリーブ５０３は、スリーブからの漏出を防止するために折り畳まれかつ／または巻き上げられ、バッグ５０２に接着される。任意選択的に、スリーブ５０３は、粘着性ストリップ５０５を用いてバッグ５０２に接着される。代替的に、他の固定機構、例えばフック・ループ・ファスナを使用することができる。
【０１０４】
次に図８Ａおよび図８Ｂを参照すると、本発明の一部の実施形態に係る、オストミーポートから廃物を捕集した後、使い捨てキャップ６００内の例示的オストミーバッグ６０２を閉止する方法が概略的に示されている。廃物捕集バッグ６０２は、カプセル６０４の下でバッグの一部分に巻き付けられて、バッグを閉止（クランプ）し、廃物がカプセルに達する（かつ遠位開口６１０から溢出する）のを防止するストランド６０３を含む。代替的に、廃物捕集バッグ６０２は、廃物がカプセルに達するのを防止するために、バッグをカプセル６０４の下で固定する他の手段を含むことができる。例えばバッグ６０２は、カプセル６０４の下をクリップ、結束ワイヤ、または任意の他の適切な結束手段で締め付けることができる。任意選択的に、結束手段は再使用可能にすることができる。代替的に、結束手段はバッグ６０２と共に処分される。代替的に、開口を封止し、廃物がバッグ６０２から漏出するのを防止するために、遠位開口６１０にカバーを装着することができる。
【０１０５】
次に図９Ａないし図９Ｃを参照すると、本発明の一部の実施形態に係る、オストミーバッグ７０２が支持展開された例示的使い捨てキャップ７００が概略的に示されている。使い捨てキャップ７００は、オストミーポート７５０のストーマカバー７５２に取り付けられ、バッグ７０２は、例えばイレオストミーまたはウロストミーの場合に典型的であるように、廃物を連続的に捕集するために連続的に展開される。
【０１０６】
図９Ａにおいて、部分的に充満したかまたは満杯のオストミーバッグ７０２の重量は、バッグの上部に取り付けられかつ使用者の身体部分に、例えば外部腹壁に接着されたタブ７１０によって支持される。任意選択的に、捕集される廃物の重量と共にバッグが重くなるにつれて、タブ７１０はバッグ７０２に掛かる引張り力を増大させる。加えて、または代替的に、オストミーバッグ７０２は、図９Ｂに示すように、バッグの底部に取り付けられたタブ７１１によって支持される。加えて、または代替的に、バッグ７０２は、ストーマカバー７５２を使用者の外部腹壁に接着することによって、任意選択的にストーマカバーに取り付けられたタブ７１３によって、支持される。
【０１０７】
次に図１０を参照すると、本発明の一部の実施形態に係る、１回使用に適した単一構成部品として全て一体的に形成された弾性ストーマカバー８０２、膨張可能なバルーン８０４、および弾性チューブ８０６を含む例示的オストミーポート８００が概略的に示されている。オストミーポート８００は膨張ポート８０８および膨張管腔８１０を含み、それを介してバルーン８０４は膨張流体により膨張される。任意選択的に、バルーン８０４には、オストミーポート８００の製造中に、弾性チューブ８０６の遠位外面８０７に取付け可能な遊端８０５が形成される。任意選択的に、弾性チューブ８０６の近位端には取外し不能なカバー８１４（またはシール）が装着される。加えて、オストミーポート８００はストーマから取外し可能であり、廃物が充填されたときに処分される。取外しの前に、バルーン８０４は収縮される。任意選択的に、バルーン８０４は、膨張管腔８１０および膨張ポート８０８を介して膨張流体を除去することによって収縮される。
【０１０８】
次に図１１を参照すると、本発明の一部の実施形態に係る、廃物および／または灌注流体を捕集するための内蔵オストミーバッグ９１２を持つ１回使用の例示的オストミーポート９００が概略的に示されている。任意選択的に、オストミーポート９００は、カバー８１４の代わりにオストミーバッグ９１２を有する、図１０に示すストーマ挿入体８００と同様に単一構成部品として形成される。
【０１０９】
オストミーポート９００は、オストミーバッグ９１２が近位端に取り付けられた弾性チューブ９０６を含む。任意選択的に、オストミーバッグ９１２は展開前に弾性チューブ９０６の内部に巻き上げられる。任意選択的に、オストミーバッグ９１２は、使用者がバッグを引っ張ることによって展開される。加えて、または代替的に、オストミーバッグ９１２は、バッグに対する廃物または腸内ガスの軸方向圧力によって展開される。オストミーバッグ９１２は、弾性チューブ９０６を介して排出される廃物を捕集するのに適した任意の形状を有することができる。代替的に、オストミーバッグ９１２は弾性チューブ９０６上の取付け機構（図示せず）に取り付けられる。
【０１１０】
図１２を参照すると、本発明の一部の実施形態に係る、廃物を除去するための取外し可能なキャップ１０１４を持つオストミーポート１０００が概略的に示されている。任意選択的に、オストミーポート１０００は、オストミーポートとは別個に製造することができる取外し可能なキャップ１０１４を除いて、図１０に示すオストミーポート８００と同様に単一構成部品として形成される。
【０１１１】
オストミーポート１０００は、キャップ１０１４をポートに固定するためのキャップ取付け機構１００７を持つ弾性チューブ１００６を含む。取外し可能なキャップ１０１４は、一部の実施形態では、キャップの取外しを容易にするタブ１０１６を有する。任意選択的に、取付け機構１００７は、キャップ１０１４を取り外した後でオストミーポート１０００から廃物が流入する捕集バッグ（図示せず）を装着するように適応される。任意選択的に、捕集バッグは、キャップ１０１４を取り外した後で取付け機構１００７に取り付けられる。任意選択的に、キャップ１０１４は１回使用に適しており、オストミーポート１０００から取り外された後、新しいキャップと交換される。代替的に、キャップ１０１４は再使用可能である。
【０１１２】
次に図１３Ａ〜１３Ｃを参照すると、本発明の一部の実施形態に係る、弾性捕集バッグ１１１２を取り付けるための取付け機構１１０７を含む例示的オストミーポート１１００が概略的に示されている。任意選択的に、オストミーポート１１００は、図１０に示すオストミーポート８００と同様に単一構成部品として形成される。
【０１１３】
弾性捕集バッグ１１１２は、取付け機構１１０７の周方向凹部１１１４に挿入されるように適応された環状弾性リム１１１３を持つ開口１１１５を含む。任意選択的に、取付け機構１１０７は、周方向凹部１１１４の内側に環状弾性リム１１１３に係止するためのロック機構１１１１を含む。加えて、取付け機構１１０７は、廃物が部分的に充満したとき、任意選択的に満杯になったときに、捕集バッグ１１１２の重量を支持するように適応される。任意選択的に、環状弾性リム１１１３は、ラテックス材または他の種類のエラストマー材料を含む。代替的に、環状弾性リム１１１３は非弾性であり、周方向凹部１１１４に嵌合するのに適した円周状に予め形成され、ロック機構１１１１によって所定の位置に係止される。
【０１１４】
次に図１４Ａ〜１４Ｄを参照すると、本発明の一部の実施形態に係る、家庭用の捕集バッグ１２１２（例えばサンドイッチ用バッグ、小さいゴミ袋等）を弾性チューブ１２０６の近位端に取り付けるための取付け機構１２０７を含むオストミーポート１２００が概略的に示されている。任意選択的に、オストミーポート１２００は、図１０に示すオストミーポート８００と同様の単一構成部品として形成される。
【０１１５】
一部の例示的実施形態では、取付け機構１２０７は、捕集バッグの一部分がそこから挿入される開口１２１１を有する取外し可能な環状ファスナ１２１３を取り付けるためのスナップ嵌め装置を含む。任意選択的に、環状ファスナ１２１３は、取付け機構１２０７にスナップ嵌合して捕集バッグ１２１２のリム部１２１９をラッチ要素と取付け機構との間に固定するラッチ要素１２１７を含む。代替的に、捕集バッグ１２１２をオストミーポート１２００を固定するために、取外し可能な環状ファスナ１２１３および取付け機構１２０７に、当業界で公知の他の固定装置を使用することができる。これらは、弾性チューブ１２０６の軸線方向と平行な軸線方向にリム部を押圧することによって、リム部１２１９をツイストロックしかつ固定すること、またはばねがリム部を環状ファスナ１２１３に押し当てながら固定するように、取付け機構１２０７にばね機構を使用することを含む。
【０１１６】
次に図１５を参照すると、本発明の実施形態に係る、オストミーポートと共に使い捨てキャップを使用するための方法のフローチャートが示されている。本書に図示しかつ記載する方法は、いかなる形でも限定することを意図するものではなく、当業者は、該方法を実現する多くの他の方法があることを理解されるであろう。
【０１１７】
１５０１で、使用者は、日常生活の中で、排出を必要とする廃物からの圧力を検知する。任意選択的に、圧力は、近位方向に突出する、キャップに取り付けられた検知カバーを介して検知される。代替的に、圧力は、キャップ内の論理によって電気的に検知される。代替的に、圧力は、キャップ内の機械的検知構成要素によって機械的に検知される。任意選択的に、視覚的および／または聴覚的および／または体感警報が使用者に提供される。
【０１１８】
１５０２で、任意選択的に、検知された圧力に応答して、使用者は腸内ガスを放出させるためのガス放出機構を作動させ、次いでステージ１５０１に戻る。
【０１１９】
１５０３で、使用者はカバーを取り外す。代替的に、カバーは安全機構によって排出される。
【０１２０】
１５０４で、オストミーバッグは、バッグを押圧する廃物からの軸方向圧力によって自動的に展開され、廃物をバッグ内に流入させる。代替的に、使用者が、バッグに取り付けられたストラップもしくは紐、またはバッグの展開に適した任意の他の方法を用いて、バッグを展開させる。
【０１２１】
１５０５で、排出を終えた使用者は、廃物を含む使い捨てオストミーバッグを交換する。使用者は、交換のためにオストミーポートから使い捨てキャップを開放する。使用者は、ポート内部の可能な残留物を除去するために、ティッシュまたは他の適切な物質でオストミーポートを拭くことができる。使用者は次いで、使用済みオストミーバッグを取り付けられたカプセルごと廃棄する。任意選択的に、検知カバーはカプセルと共に廃棄される。代替的に、カバーは交換バッグおよびカプセルに使用するために保持される。
【０１２２】
任意選択的に、１５０６で、使用者は、新しい折畳みバッグを含む新しいキャップをオストミーポートに取り付ける。
【０１２３】
任意選択的に、１５０７で、使用者は検知カバーをキャップに取り付ける。任意選択的に、検知カバーは以前に使用したものである。代替的に、１５０６におけるキャップは検知カバーを含んでいる。
【０１２４】
任意選択的に、１５０８で、使用者は、日常生活の中で、灌注を必要とすることがある。灌注が必要な場合、１５０９に進む。灌注が必要でない場合、１５０１に進む。
【０１２５】
任意選択的に、１５０９で、使用者は通常のキャップを取り外して、灌注専用のキャップを取り付ける。このキャップはより高容積の捕集バッグを有することができ、かつ／またはバッグの重量を支持する。
【０１２６】
任意選択的に、１５１０で、使用者は灌注流体源をオストミーポートに接続する。使用者はカバーを取り外してバッグを展開し、オストミーポートの灌注弁を開放する。灌注流体がポートを介して流入し、腸管およびポートを洗浄する。洗い流された廃物はバッグ内に流入する。任意選択的に、使用者は灌注流体を導入し、流体をしばらくの間腸の内部に滞留させ、その後でカバーを取り外してバッグを展開させ、腸内容物を洗い流すことができる。使用者は、ポート内部の可能な残留物を除去するために、（任意選択的に、キャップ内に事前に格納された）ティッシュまたは他の適切な物質でオストミーポートを拭くことができる。灌注の完了後に、任意選択的に１５０５に進む。
【０１２７】
次に図１６を参照すると、本発明の一部の実施形態に係る、オストミーバッグがカプセル１６０３の内部に入った状態の使い捨てキャップ１６０２をオストミーポート１６５０に取り付けるための取付け機構１６００が概略的に示されている。
【０１２８】
楕円形を有する弾性リング１６０４が、（工場で装置の組立て中に）オストミーポート１６５０の近位開口にある対応する凹部１６０６内に挿入される。キャップ１６０２を取り付けるために、使用者はキャップを近位開口１６０８内に押し込む。弾性リング１６０４内のタブ１６１０は、カプセル１６０３の傾斜面１６１２によって互いに押し離される。キャップ１６０２が近位開口１６０８に嵌合されると、リング１６０４はその元の形状を取り、タブ１６１０はカプセル１６０３の周方向凹部１６１４内に嵌合する。カプセル１６０３を解放するために、使用者はストーマカバー１６５２の上部側面１６１６および下部側面１６１８を押して、リング１６０４の対向面１６２０を押圧する。タブ１６１０は互いに押し離され、カプセル１６０３が解放される。
【０１２９】
次に図１７を参照すると、本発明の一部の実施形態に係る、オストミーポート用のカバー１７０２を使い捨てキャップ１７００から取り外すための迅速解放機構が概略的に示されている。
【０１３０】
カバー１７０２は、ヒンジとして働くストリップ１７０４によって結合されたカプセル１７０６と共に一体構成要素として形成される。キャップ１７００の組立て中に、組立工は、凹部１７０８がカプセル１７０６の周方向リム１７１０に係止されるように、カバー１７０２を反転させる。任意選択的に、カバー１７０２を解放して、空洞１７１２内部のオストミーバッグを展開させるために、使用者はタブ１７１４を近位方向に押圧して、凹所１７０８を周方向リム１７１０から解放させる。任意選択的に、バッグの一部分（図示せず）は、カバーが開いたときにバッグがカプセル１７０６から引き出されるように、（例えば接合または溶接によって）カバー１７０２の内面１７１６に取り付けられる。
【０１３１】
次に図１８Ａないし１８Ｈを参照すると、本発明の一部の実施形態に係る、オストミーバッグを使い捨てキャップ内に巻き上げ、かつキャップにカバーを配置する例示的方法が示されている。図１８Ａは、遠位方向から見た巻上げ工程前の捕集バッグおよびカプセルを示す。図１８Ｂでは、組立工が、細長い形状を達成するまで、捕集バッグの近位部をカプセルから遠ざけかつ引き離している。図１８Ｃでは、組立工が、細長い捕集バッグの近位部をこぶし内に掴持している。図１８Ｄでは、組立工が、カプセルの軸線を中心に前記近位部を時計回り方向に４５度回転させる。代替的に、前記近位部は９０度回転される。代替的に、前記近位部は反時計回り方向に回転される。図１８Ｅでは、組立工が、前記回転した近位部をカプセルの内腔に挿入する。図１８Ｆは、カプセル内に巻き上げられた捕集バッグを遠位から見た状態を示す。図１８Ｇで、組立工はカバーをキャップに被せ、巻き上げられた捕集バッグをカプセル内部に固定する。図１８Ｈは、組立工程の終了時のキャップを示す。
【０１３２】
用語「含む／備える（ｃｏｍｐｒｉｓｅｓ、ｃｏｍｐｒｉｓｉｎｇ、ｉｎｃｌｕｄｅｓ、ｉｎｃｌｕｄｉｎｇ）」、「有する（ｈａｖｉｎｇ）」、およびそれらの同根語は、「含むが、それらに限定されない（ｉｎｃｌｕｄｉｎｇ  ｂｕｔ  ｎｏｔ  ｌｉｍｉｔｅｄ  ｔｏ）」ことを意味する。
【０１３３】
用語「からなる（ｃｏｎｓｉｓｔｉｎｇ  ｏｆ）」は、「含み、それらに限定される（ｉｎｃｌｕｄｉｎｇ  ａｎｄ  ｌｉｍｉｔｅｄ  ｔｏ）」ことを意味する。
【０１３４】
表現「から本質的になる（ｃｏｎｓｉｓｔｉｎｇ  ｅｓｓｅｎｔｉａｌｌｙ  ｏｆ）」は、さらなる工程および／または部分が、主張される方法または構造の基本的かつ新規な特徴を実質的に変化させない場合にだけ、方法または構造がさらなる工程および／または部分を含み得ることを意味する。
【０１３５】
本明細書中で使用される場合、単数形態（「ａ」、「ａｎ」および「ｔｈｅ」）は、文脈がそうでないことを明確に示さない限り、複数の参照物を包含する。
【０１３６】
本開示を通して、本発明の様々な態様が範囲形式で提示され得る。範囲形式での記載は単に便宜上および簡潔化のためであり、本発明の範囲に対する柔軟性のない限定として解釈すべきでないことを理解しなければならない。従って、範囲の記載は、具体的に開示された可能なすべての部分範囲、ならびに、その範囲に含まれる個々の数値を有すると見なさなければならない。例えば、１〜６などの範囲の記載は、具体的に開示された部分範囲（例えば、１〜３、１〜４、１〜５、２〜４、２〜６、３〜６など）、ならびに、その範囲に含まれる個々の数値（例えば、１、２、３、４、５および６）を有すると見なさなければならない。このことは、範囲の広さにかかわらず、適用される。
【０１３７】
数値範囲が本明細書中で示される場合には常に、示された範囲に含まれる任意の言及された数字（分数または整数）を含むことが意味される。第１の示された数字および第２の示された数字「の範囲である／の間の範囲」という表現、および、第１の示された数字「から」第２の示された数「まで及ぶ／までの範囲」という表現は、交換可能に使用され、第１の示された数字と、第２の示された数字と、その間のすべての分数および整数とを含むことが意味される。
【０１３８】
明確にするため別個の実施形態の文脈で説明されている本発明の特定の特徴が、単一の実施形態に組み合わせて提供されることもできることは分かるであろう。逆に、簡潔にするため単一の実施形態で説明されている本発明の各種の特徴は別個にまたは適切なサブコンビネーションで、あるいは本発明の他の記載される実施形態において好適なように提供することもできる。種々の実施形態の文脈において記載される特定の特徴は、その実施形態がそれらの要素なしに動作不能である場合を除いては、それらの実施形態の不可欠な特徴であると見なされるべきではない。
【０１３９】
本発明はその特定の実施形態によって説明してきたが、多くの別法、変更および変形があることは当業者には明らかであることは明白である。従って、本発明は、本願の請求項の精神と広い範囲の中に入るこのような別法、変更および変形すべてを包含するものである。
【０１４０】
本明細書中で言及した刊行物、特許および特許願はすべて、個々の刊行物、特許または特許願が各々あたかも具体的にかつ個々に引用提示されているのと同程度に、全体を本明細書に援用するものである。さらに、本願で引用または確認したことは本発明の先行技術として利用できるという自白とみなすべきではない。
【図１Ａ−１Ｂ】
2013528423.tif 000003
【図２】
2013528423.tif 000004
【図４】
2013528423.tif 000005
【図５】
2013528423.tif 000006
【図６】
2013528423.tif 000007
【図７Ａ−７Ｂ】
2013528423.tif 000008
【図８Ａ−８Ｂ】
2013528423.tif 000009
【図９Ａ−９Ｃ】
2013528423.tif 000010
【図１０】
2013528423.tif 000011
【図１１】
2013528423.tif 000012
【図１２】
2013528423.tif 000013
【図１３Ａ−１３Ｃ】
2013528423.tif 000014
【図１４Ａ−１４Ｄ】
2013528423.tif 000015
【図１５】
2013528423.tif 000016
【図１６】
2013528423.tif 000017
【図１７】
2013528423.tif 000018
【図３Ａ−３Ｂ】
2013528423.tif 000019
【図１８Ａ−１８Ｆ】
2013528423.tif 000020
【図１８Ｇ−１８Ｈ】
2013528423.tif 000021
【手続補正書】
【提出日】平成24年8月1日(2012.8.1)
【手続補正１】
【補正対象書類名】特許請求の範囲
【補正対象項目名】全文
【補正方法】変更
【補正の内容】
【特許請求の範囲】
【請求項１】
オストミーポート（１５０）に連結するように適応された連結器を含み、かつ展開防止要素を含む折畳み式オストミーバッグ（１０２）を備えた、オストミーポート（１５０）の近位開口（１０８）を密閉するための使い捨てキャップ（１００）。
【請求項２】
前記バッグ（１０２）は前記キャップ（１０４）の本体内に収容される、請求項１に記載の使い捨てキャップ（１００）。
【請求項３】
前記キャップ（１００）はその近位側（１０８）の方が遠位側（１１０）より幅広である、請求項１又は２に記載の使い捨てキャップ（１００）。
【請求項４】
前記キャップ（１００）は、前記ポート（１５０）から近位方向に１ｃｍ未満延びるように構成される、請求項１〜３のいずれかに記載の使い捨てキャップ（１００）。
【請求項５】
前記キャップ（１００）は前記ポート（１５０）内に嵌合するように構成される、請求項１〜４のいずれかに記載の使い捨てキャップ（１００）。
【請求項６】
前記キャップ（１００）は、前記ポート（１０００，１１００，１２００）のインターロック機構（１００７，１１０７，１２０７）と連動するように構成される、請求項１〜５のいずれかに記載の使い捨てキャップ（１００）。
【請求項７】
前記バッグ（１０２）は、前記ポート（１５０）内の圧力が閾値を超えたときに展開するように構成される、請求項１〜６のいずれかに記載の使い捨てキャップ（１００）。
【請求項８】
前記バッグ（１０２）は、手動展開用の引張り可能な要素（１２０）を含む、請求項１〜７のいずれかに記載の使い捨てキャップ（１００）。
【請求項９】
前記キャップ（１００）は圧力インジケータ（２１８）を含む、請求項１〜８のいずれかに記載の使い捨てキャップ（１００）。
【請求項１０】
前記キャップ（１００）は検知回路構成を含む、請求項１〜９のいずれかに記載の使い捨てキャップ（１００）。
【請求項１１】
前記キャップ（１００）はフォイルシール（４１８）を含む、請求項１〜１０のいずれかに記載の使い捨てキャップ（１００）。
【請求項１２】
前記キャップ（１００）は、別個に開閉可能なキャップカバー（１１８）を含む、請求項１〜１１のいずれかに記載の使い捨てキャップ（１００）。
【請求項１３】
前記キャップ（１００）は、別個に開けることが可能なキャップカバー（１１８）を含む、請求項１〜１２のいずれかに記載の使い捨てキャップ（１００）。
【請求項１４】
前記キャップ（１００）はスリーブ形本体を有し、前記キャップカバー（１１８）は、前記本体の対向する両側部に嵌合するように構成される、請求項１２に記載の使い捨てキャップ（１００）。
【請求項１５】
前記バッグ（１０２）の展開を可能にするために取り外し可能であり、かつエラストマー材料から形成された取り外し可能なキャップカバー（１１８）を含む、請求項１〜１２のいずれかに記載の使い捨てキャップ（１００）。
【請求項１６】
前記バッグ（１１１２）には伸縮性がある、請求項１〜１５のいずれかに記載の使い捨てキャップ（１１００）。
【請求項１７】
前記バッグ（６０２）は前記キャップ（６００）と一体的に形成される、請求項１〜１６のいずれかに記載の使い捨てキャップ（６００）。
【請求項１８】
前記バッグ（６０２）は前記キャップ（６００）に恒久的に取り付けられる、請求項１〜１７のいずれかに記載の使い捨てキャップ（６００）。
【請求項１９】
前記キャップ（６００）は、前記バッグ（６０２）が充満した後、それを密閉するための封止体（６０３）を含む、請求項１〜１８のいずれかに記載の使い捨てキャップ（６００）。
【請求項２０】
前記キャップ（７００）は、展開後の前記バッグ（７０２）を患者の身体に直接取り付けるための粘着性取付け要素（７１０，７１１，７１２）を含む、請求項１〜１９のいずれかに記載の使い捨てキャップ（７００）。
【請求項２１】
前記バッグ（１０２）は折畳み時の容積が１０ｃｃ未満であり、満杯時には少なくとも３００ｃｃになる、請求項１〜２０のいずれかに記載の使い捨てキャップ（１００）。
【請求項２２】
（ａ）廃物をポートから排出させる必要があることを決定するステップと、
（ｂ）前記ポートをバッグの外側に開くことなく、前記ポートからバッグを展開させるステップと、
（ｃ）内側に廃物が入った前記バッグを取り外すステップと、
（ｄ）前記ポートを密閉するステップと、
を含む、オストミーポートを使用する方法。
【請求項２３】
バッグを展開させるステップは、前記ポートのキャップのカバーを開けることを含む、請求項２２に記載の方法。
【請求項２４】
前記バッグを取り外すステップは、前記バッグを密閉することを含む、請求項２２に記載の方法。
【請求項２５】
前記バッグを密閉することは、前記キャップのカバーにより密閉することを含む、請求項２４に記載の方法。
【請求項２６】
前記バッグを密閉することは、前記バッグの一部分を狭めることによって密閉することを含む、請求項２４に記載の方法。
【請求項２７】
前記ポートを密閉するステップは、折り畳まれたバッグおよびキャップの一方または両方により密閉することを含む、請求項２４に記載の方法。
【請求項２８】
前記ポートを密閉するステップは、バッグ無しで密閉することを含む、請求項２４に記載の方法。
【請求項２９】
腸管部分からの廃物の流動を行なうためにストーマを介して前記腸管部分内に挿入可能なチューブと、
組織と接触するように構成され、前記チューブを前記ストーマに固定するための保持バルーンと、
を備え、
前記チューブおよび前記保持バルーンが単一構成部品として形成された、使い捨てオストミーポート。
【請求項３０】
前記単一構成部品の一部として形成されたストーマカバーを含む、請求項２９に記載の使い捨てオストミーポート。
【請求項３１】
廃物チューブと、膨張流体によりバルーンを膨張させるために前記バルーンに遠位を接続されかつ膨張弁を含む管腔とを備えた使い捨てオストミーポート。
【請求項３２】
前記チューブは、密閉された近位端を含む、請求項２９〜３１のいずれかに記載の使い捨てオストミーポート。
【請求項３３】
ガス濾過機構を含む、請求項２９〜３２のいずれかに記載の使い捨てオストミーポート。
【請求項３４】
前記チューブは、その近位端に取り付けられたオストミーバッグを含む、請求項２９〜３３のいずれかに記載の使い捨てオストミーポート。
【請求項３５】
前記チューブは、オストミーバッグを取り付けるように構成された近位開口を有する、請求項２９〜３３のいずれかに記載の使い捨てオストミーポート。
【請求項３６】
オストミーポート開口に取り付けるように構成され、かつ前記ポート内の圧力に応答して膨張する少なくとも１つの膨張性要素を備えた、検知キャップ。
【請求項３７】
体内に挿入するように適応され、かつ脱離不能な廃物バッグを含む、オストミーポート。
【請求項３８】
密閉用の封止要素と連結されたオストミーバッグ。
【請求項３９】
前記バッグはオストミーポートに装着するためのリムを有し、前記封止要素は前記リムに嵌合するキャップを含む、請求項３８に記載のオストミーバッグ。
【請求項４０】
前記キャップは前記リムの両側に嵌合するように構成される、請求項３９に記載のオストミーバッグ。
【請求項４１】
前記封止要素は結束具を含む、請求項３８に記載のオストミーバッグ。
【手続補正２】
【補正対象書類名】明細書
【補正対象項目名】０００７
【補正方法】変更
【補正の内容】
【０００７】
Ｗｈｅｅｌｅｒの米国特許第６０５０９８２号では、「隠れた人工肛門形成装置」が記載され、それは、放出開口を介して腸内に挿入可能であり、そこに保持するためのスリーブであって、放出端を有するスリーブ；スリーブの放出端を除去可能に嵌合するキャップ；及び腸からの糞便を受けるためにスリーブ内に折り畳まれた位置で受けとられる可撓性パウチを含み、キャップは、スリーブの外側へのパウチの膨張及びパウチ内への糞便物質の継続した充填を可能にするために除去可能である。
追加の背景技術は、米国特許第４１２１５８９号、第４３３８９３７号、第４６３４４２１号、第４７２１５０８号、第４３８１７６５号、及び第４６６２８９０号を含む。
【国際調査報告】
2013528423.tif 000022
2013528423.tif 000023
2013528423.tif 000024
2013528423.tif 000025